(57)【要約】【課題】２段目押しボタンを操作した感覚が明瞭にあり、誤操作が起こり難い２段式押しボタンスイッチ装置を供する。【解決手段】１段目押しボタン32が１段目支持部材31に付勢手段35により押し操作方向と反対方向に付勢されて移動自在に支持され、１段目押しボタン32と１段目支持部材31との間に介装された１段目スイッチ34は、１段目押しボタン32が押されて移動した１段目支持部材31に対する所定相対位置でオンし、１段目支持部材31が２段目押しボタン部材15により支持され、２段目押しボタン部材15が２段目支持部材３に付勢手段13により押し操作方向と反対方向に付勢されて移動自在に支持されるとともに、磁石８により吸着保持され、２段目押しボタン部材15と２段目支持部材３との間に介装された２段目スイッチ18は、２段目押しボタン部材15が押されて前記磁石による吸着が解除され移動した２段目支持部材３に対する所定相対位置でオンする２段式押しボタンスイッチ装置。【選択図】図９
2008152931.tif 000002
【特許請求の範囲】
【請求項１】
１段目押しボタンが１段目支持部材に付勢手段により押し操作方向と反対方向に付勢されて移動自在に支持され、
前記１段目押しボタンと前記１段目支持部材との間に介装された１段目スイッチは、前記１段目押しボタンが押されて移動した前記１段目支持部材に対する所定相対位置でオンし、
前記１段目支持部材が２段目押しボタン部材により支持され、
前記２段目押しボタン部材が２段目支持部材に付勢手段により押し操作方向と反対方向に付勢されて移動自在に支持されるとともに、磁石により吸着保持され、
前記２段目押しボタン部材と前記２段目支持部材との間に介装された２段目スイッチは、前記２段目押しボタン部材が押されて前記磁石による吸着が解除され移動した前記２段目支持部材に対する所定相対位置でオンすることを特徴とする２段式押しボタンスイッチ装置。
【請求項２】
前記１段目支持部材と前記１段目押しボタンと前記１段目スイッチとが、小組みされた状態で前記２段目押しボタン部材に組付けられることを特徴とする請求項１記載の２段式押しボタンスイッチ装置。
【発明の詳細な説明】
【技術分野】
【０００１】
本発明は、押しボタンを押す操作で最初１段目スイッチがオンし、次いで２段目スイッチがオンする２段式押しボタンスイッチ装置に関する。
【背景技術】
【０００２】
この種の２段式押しボタンスイッチ装置としては、特許文献１に開示された例がある。
【０００３】
【特許文献１】特開平７−３２０５９２号公報
【０００４】
特許文献１に開示されたものは、補助ボタンが主ボタンの操作部に設けられており、第１実施例では補助ボタンがゴム製で押されると容易に弾性変形して補助接点（１段目スイッチ）をオンし、そのままさらに強く押すと復帰スプリングにより付勢された主ボタンが移動して主接点（２段目スイッチ）をオンする構造のものである。
【０００５】
また、第２実施例では、補助ボタンを付勢する補助接点用スプリングより主ボタンを付勢する復帰スプリングの方が大きな付勢力を有するように設定され、補助ボタンが押されると、まず補助接点用スプリングが縮設されて補助接点（１段目スイッチ）をオンし、さらに復帰スプリングの付勢力より大きな力で押されると、主ボタンが移動して主接点（２段目スイッチ）をオンする構造のものである。
【発明の開示】
【発明が解決しようとする課題】
【０００６】
上記第１実施例と第２実施例は、ともに１段目押しボタン（補助ボタン）が押された後に復帰スプリングにより付勢された２段目押しボタン（主ボタン）が復帰スプリングの付勢力に抗して移動することで２段目スイッチ（主接点）をオンするものである。
したがって、２段目押しボタンが押されるときには、１段目押しボタンを押す力より大きい力ではあるが、抗力（復帰スプリングの付勢力）が小さいので１段目押しボタンを押す力に比べて格別大きい力を要求されない。
【０００７】
そのため、操作者にとっては、２段目押しボタンを操作した感覚が乏しい。
また、２段目押しボタンの移動直前の抗力が小さく操作した感覚が乏しいことから、２段目押しボタンが移動して２段目スイッチがオンしたか否かがあいまいになったり、１段目押しボタンのみの操作のつもりが、誤って２段目押しボタンも操作してしまうという操作者の意図に反した誤操作が起こり易い。
【０００８】
本発明は、かかる点に鑑みなされたもので、その目的とする処は、２段目押しボタンを操作した感覚が明瞭にあり、誤操作が起こり難い２段式押しボタンスイッチ装置を供する点にある。
【課題を解決するための手段】
【０００９】
上記目的を達成するために、請求項１記載の発明は、１段目押しボタンが１段目支持部材に付勢手段により押し操作方向と反対方向に付勢されて移動自在に支持され、前記１段目押しボタンと前記１段目支持部材との間に介装された１段目スイッチは、前記１段目押しボタンが押されて移動した前記１段目支持部材に対する所定相対位置でオンし、前記１段目支持部材が２段目押しボタン部材により支持され、前記２段目押しボタン部材が２段目支持部材に付勢手段により押し操作方向と反対方向に付勢されて移動自在に支持されるとともに、磁石により吸着保持され、前記２段目押しボタン部材と前記２段目支持部材との間に介装された２段目スイッチは、前記２段目押しボタン部材が押されて前記磁石による吸着が解除され移動した前記２段目支持部材に対する所定相対位置でオンする２段式押しボタンスイッチ装置とした。
【００１０】
請求項２記載の発明は、請求項１記載の２段式押しボタンスイッチ装置において、前記１段目支持部材と前記１段目押しボタンと前記１段目スイッチとが、小組みされた状態で前記２段目押しボタン部材に組付けられることを特徴とする。
【発明の効果】
【００１１】
請求項１記載の２段式押しボタンスイッチ装置によれば、２段目押しボタン部材が２段目支持部材に付勢手段により押し操作方向と反対方向に付勢されて移動自在に支持されるとともに、磁石により２段目スイッチがオフ状態の位置に吸着保持されるので、１段目押しボタンを押して１段目スイッチをオンした後に、２段目スイッチをオンしようとすると、磁石による吸着を解除するだけの１段目押しボタンを押す力に比べかなり大きい力でさらに強く押す必要があり、磁石による吸着が解除されるときは、急激に抗力を失って一気に２段目押しボタン部材が移動して２段目スイッチがオンすることになる。
【００１２】
したがって、操作者は、２段目押しボタン部材の移動の前後で、はっきりとクリック感を感じることができ、このクリック感により２段目押しボタンを操作した明瞭な感覚がある。
【００１３】
２段目押しボタン部材の移動の前後で、はっきりとクリック感を感じることができるので、２段目スイッチがオンしたか否かがあいまいになったりすることがない。
また、２段目押しボタンの移動直前の抗力（磁石による吸着力）が大きく、１段目押しボタンのみの操作のつもりが、誤って２段目押しボタンも操作してしまうといった操作者の意図に反した誤操作が起こり難い。
【００１４】
請求項２記載の２段式押しボタンスイッチ装置によれば、１段目支持部材と１段目押しボタンと１段目スイッチとが、小組みされた状態で２段目押しボタン部材に組付けられるので、組付け作業が簡単で生産性の向上が図れる。
【００１５】
また、１段目押しボタンが２段目押しボタンに比べて頻繁に作動されて耐久性が問題となるような場合には、特に１段目押しボタンを小組みされた１段目押しボタンスイッチ装置のみを交換することができ、経済的である。
さらに、従前の一般的な押しボタンスイッチ装置を１段目押しボタンスイッチ装置として利用することが可能で低コスト化が図れる。
【発明を実施するための最良の形態】
【００１６】
以下、本発明に係る一実施の形態について図１ないし図１２に基づいて説明する。
本実施の形態に係る２段式押しボタンスイッチ装置１の外力が加わらない状態の上面図を図１に、下面図を図２に、一部省略した下面図を図３に、前側面図を図４に、右側面図を図５に示し、外力が加わった状態の右側面図を図６に示し、一部分解し斜め上方から視た斜視図を図７に、同斜め下方から視た斜視図を図８に、同分解断面図を図９に示す。
なお、本明細書中においては、図１の２段式押しボタンスイッチ装置１の上面図で、下方を前、上方を後、左方を左、右方を右とする。
【００１７】
金属板で裏打ちされた樹脂製の基盤２の中央部に大きな円開口２ａが形成されており、同基盤２の裏側において概ねチャンネル状に屈曲された金属板である支持部材３が円開口２ａを下から覆うように左右側板３Ｌ，３Ｒの上端のフランジ部３Lf，３Rfを基盤２の裏面に固着して取り付けられている（図４，図７，図８，図９参照）。
図８および図９を参照して、支持部材３の底板３Ｂには中央に矩形孔３ａが穿設され、４隅に円筒状のロッドガイド部材４が下面から固定部材５により底板３Ｂを挟むようにして固定され上方に突設されている。
【００１８】
なお、支持部材３の底板３Ｂには中央の矩形孔３ａの前後左右にそれぞれ作業孔３ｂが穿孔され、底板３Ｂの上面には左右の作業孔３ｂ，３ｂの外側にそれぞれ長方体状をして中央に矩形孔が穿孔されたストッパ部材６，６が固着されている。
ストッパ部材６は、耐衝撃性を有する樹脂部材またはゴム等の弾性部材で形成されている。
以上の主に４本のロッドガイド部材４を含む支持部材３および基盤２等が２段目支持部材に相当する。
【００１９】
図９を参照して、支持部材３の底板３Ｂと基盤２との間の空間に、概ね扁平な矩形箱状をした昇降ボタン基板11が開口を下方に向けて昇降自在に支持される。
すなわち、箱状をした昇降ボタン基板11の上板11Ｕの下面の４隅から下方に突設されたロッド12が、前記支持部材３の底板３Ｂの４隅に突設された円筒状のロッドガイド部材４にそれぞれ摺動自在に嵌入し、各ロッド12にそれぞれ巻回された圧縮スプリング13が昇降ボタン基板11の上板11Ｕと円筒状のロッドガイド部材４の上端面との間に介装されており、４本の圧縮スプリング13により上方に付勢されて昇降ボタン基板11が昇降自在に支持されている。
【００２０】
圧縮スプリング13により上方に付勢された昇降ボタン基板11における左右側板11Ｌ，11Ｒの下端が外側に屈曲したフランジ部11Lf，11Rfを形成しており、フランジ部11Lf，11Rfは支持部材３の底板３Ｂ上面に固着されたストッパ部材６，６の上方に位置し、下降したときはストッパ部材６，６に当接して下降を規制する。
この昇降ボタン基板11は、非磁性体金属であり、その左右フランジ部11Lf，11Rfの上面にそれぞれ強磁性体の金属磁性板14，14が固着されている。
【００２１】
この左右フランジ部11Lf，11Rfの上方に、Ｌ字に屈曲されたブラケット７，７が基盤２の下面に一側片を固着して取り付けられており、ブラケット７，７の他側片が、金属磁性板14，14の上方に垂下しており、このブラケット７，７の垂下した下部に磁石８，８が固着されている。
【００２２】
したがって、昇降ボタン基板11は、その左右のフランジ部11Lf，11Rfが下方のストッパ部材６，６と上方の磁石８，８とに規制された上下範囲で昇降可能であり、圧縮スプリング13により上方に付勢されて上方位置にあるときは、フランジ部11Lf，11Rfに固着された金属磁性板14，14が上方の磁石８，８に吸着される。
なお、昇降ボタン基板11の上板11Ｕの中央には大きな矩形口11ａが形成されている。
【００２３】
この昇降ボタン基板11の上板11Ｕに環状をした樹脂製の２段目押しボタン部材15が固定される。
２段目押しボタン部材15は、外周面が円周面を形成しているが、内周面は４隅を縁取りした矩形孔15ａを形成している（図７参照）。
【００２４】
２段目押しボタン部材15の外径は、基盤２の円開口２ａの内径に略等しく、外側円周面の下部にフランジ15ｆが延出しており、昇降ボタン基板11の上板11Ｕに固定される２段目押しボタン部材15は基盤２の円開口２ａに下方から挿入されてフランジ15ｆが基盤２の下側開口端面に当接して嵌合することが可能である。
【００２５】
昇降ボタン基板11のフランジ部11Lf，11Rfの金属磁性板14，14が磁石８，８に吸着されて昇降ボタン基板11が上方位置で支持されているときに、２段目押しボタン部材15はフランジ15ｆを基盤２の下側開口端面に当接して円開口２ａに嵌合する。
したがって、基盤２の円開口２ａより上方に部分的に突出した２段目押しボタン部材15が上方から外力を受けて下方に押され、磁石８，８による金属磁性板14，14の吸着が解かれると、２段目押しボタン部材15は昇降ボタン基板11と一体に圧縮スプリング13に抗して下降する。
【００２６】
昇降ボタン基板11の前後側板11Ｆ，11Ｂのうち前側板11Ｆの中央所定位置には２段目スイッチ18のスイッチ作動板18ａが突設されており、この前側板11Ｆの中央部の前方に、基盤２の下面に固着された支持ブラケット９が垂下しており、支持ブラケット９の後面には透過型の光センサ18ｂが所定位置に取り付けられてスイッチ作動板18ａと光センサ18ｂとで２段目スイッチ18を構成している。
【００２７】
すなわち、２段目スイッチ18の光センサ18ｂは、投光器と受光器が左右に対向して配置され、昇降ボタン基板11が下降したときに、一体に下降するスイッチ作動板18ａが投光器と受光器の間に入り光を遮断することで受光器が光を感知せず、この状態が２段目スイッチ18のオン状態であり、それ以外の昇降ボタン基板11が上方位置にあるときは、スイッチ作動板18ａが投光器と受光器の間より上にあって光を遮断せず受光器が光を感知し、この状態が２段目スイッチ18のオフ状態である。
以上のように、基盤２に２段目押しボタンスイッチ装置10が構成されている。
【００２８】
２段目押しボタン部材15の前後左右にはそれぞれねじ貫通孔15ｂが穿孔されており、ねじ貫通孔15ｂは上半部の内径が若干大きく構成されている。
なお、このねじ貫通孔15ｂに対向する昇降ボタン基板11の上板11Ｕにもねじ貫通孔11ｂが形成されており、この前後左右のねじ貫通孔15ｂ，11ｂに、前記支持部材３の底板３Ｂの前後左右に形成された作業孔３ｂが対向している。
【００２９】
基盤２の円開口２ａより上方に部分的に突出した２段目押しボタン部材15に、１段目押しボタンスイッチ装置30が取り付けられる。
図９を参照して、１段目押しボタンスイッチ装置30における樹脂製の１段目支持部材31は、円筒ガイド部31ａの上側開口端が外周径方向に大きく延出して中空円板部31ｂを形成しており、中空円板部31ｂの外周縁に外輪ガイド部31ｃが上方に突出している。
【００３０】
１段目支持部材31の円筒ガイド部31ａの下端には１段目スイッチ34であるマイクロスイッチが着脱自在に取り付けられ、１段目スイッチ34の作動ピン34ａが所定箇所から上方に上下移動自在に突出しており、作動ピン34ａが下方に押されて下降すると１段目スイッチ34はオンし、それ以外でオフ状態にある。
【００３１】
１段目支持部材31に昇降自在に支持される樹脂製の１段目押しボタン32は、１段目支持部材31の円筒ガイド部31ａに摺動自在に嵌合する円筒部32ａを有し、その円筒部32ａの上側開口端が外周径方向に大きく延出して中空円板部32ｂが形成され、円筒部32ａの下側開口端の対向する部分からは一対の脚部32ｃ，32ｃが下方に延出している。
【００３２】
そして、脚部32ｃ，32ｃの下端は外側に屈曲して係止片32ｄ，32ｄが形成されている。
また、脚部32ｃ，32ｃの上部位置から内側にスプリング受け片32ｅ，32ｅが突出して形成されている。
なお、中空円板部32ｂの上方は、ドーム状の操作蓋部材32ｆで覆われる。
【００３３】
以上のような１段目押しボタン32は、一対の脚部32ｃ，32ｃを内側に弾性変形させて先端の係止片32ｄ，32ｄを互いに近づけるようにして１段目支持部材31の円筒ガイド部31ａに上方から挿入していくと、先端の係止片32ｄ，32ｄが円筒ガイド部31ａの下端開口に出たところで一対の脚部32ｃ，32ｃが弾性復帰して係止片32ｄ，32ｄが円筒ガイド部31ａの下端開口端面に係止可能となる。
【００３４】
図９を参照して、１段目支持部材31の円筒ガイド部31ａの下端に取り付けられる１段目スイッチ34のケース上面と１段目押しボタン32の一対の脚部32ｃ，32ｃの内側に突出したスプリング受け片32ｅ，32ｅとの間に圧縮スプリング35を介装すると、１段目押しボタン32は圧縮スプリング35により上方に付勢され係止片32ｄ，32ｄが円筒ガイド部31ａの下端開口端面に係止して上方位置に保持され、このとき、１段目押しボタン32の中空円板部32ｂは、中空円板部31ｂの上方に幾らかの間隙を構成して外輪ガイド部31ｃに嵌合している。
また同時に、円筒ガイド部31ａの下端開口端面に係止した一方の係止片32ｄが１段目スイッチ34の上方に突出してオフ状態にある作動ピン34ａの上端に接している。
【００３５】
したがって、本１段目押しボタンスイッチ装置30は、１段目押しボタン32の操作蓋部材32ｆが押されると、圧縮スプリング35の付勢力に抗して１段目押しボタン32が下降し、係止片32ｄが作動ピン34ａを押し込んで１段目スイッチ34をオンさせることができ、１段目押しボタン32の押圧を解除すると、１段目押しボタン32が上昇復帰して１段目スイッチ34はオフ状態となる。
なお、圧縮スプリング35の付勢力は、前記２段目押しボタンスイッチ装置10の磁石８による金属磁性板14の吸着力より格段に小さい。
【００３６】
この１段目押しボタンスイッチ装置30の１段目支持部材31の円筒ガイド部31ａの外周面には雄ねじ31ｄが形成されていて、１段目支持部材31の中空円板部31ｂの下面に金属製の中空円板取付部材40を添設し、ワッシャ部材41を介してともに樹脂製のナット部材42を円筒ガイド部31ａの外周面の雄ねじ31ｄに螺合し、中空円板取付部材40を中空円板部31ｂの下面に挟みつけるようにして緊締する。
【００３７】
中空円板取付部材40は、中空円板部31ｂより外径が大きく、中空円板部31ｂより張り出した外周部の前後左右に雌ねじが刻設された円筒状の取付ボス部40ｂが下方に突出形成されている。
この前後左右の取付ボス部40ｂは、前記２段目押しボタンスイッチ装置10の２段目押しボタン部材15の前後左右に穿孔されたねじ貫通孔15ｂに対応している。
【００３８】
底壁の中央に円孔を有する有底筒状をなす樹脂製のスペーサ43が、１段目支持部材31の下方から円筒ガイド部31ａを円孔に貫通させて筒部がワッシャ部材41およびナット部材42を内部に収容して中空円板取付部材40の下面に添設される。
スペーサ43の筒部の内周面は円周面をなすが、外周面は２段目押しボタンスイッチ装置10の２段目押しボタン部材15の４隅を縁取りした矩形孔15ａに嵌合するように４隅を縁取りした矩形面をなす。
【００３９】
したがって、１段目支持部材31に１段目押しボタン32および１段目スイッチ34等を小組みした状態の１段目押しボタンスイッチ装置30を、２段目押しボタンスイッチ装置10の２段目押しボタン部材15に組み付けるのに、１段目押しボタンスイッチ装置30に中空円板取付部材40をワッシャ部材41を介してナット部材42により固定し、スペーサ43を中空円板取付部材40の下面に添設した状態で、図７ないし図９に示すように、上方から２段目押しボタン部材15に取り付ける。
【００４０】
１段目押しボタンスイッチ装置30の円筒ガイド部31ａの下端に取り付けられ下方に突出した１段目スイッチ34を、２段目押しボタン部材15の矩形孔15ａおよび昇降ボタン基板11の矩形孔11ａに貫通させ、中空円板取付部材40の下面に添設されるスペーサ43を、２段目押しボタン部材15の矩形孔15ａに嵌入し、中空円板取付部材40の外周部を２段目押しボタン部材15の環状端面に当接する。
このとき前後左右の取付ボス部40ｂを２段目押しボタン部材15の対応するねじ貫通孔15ｂの径の大きい上半部に嵌合する。
【００４１】
そして、ねじ45を、支持部材３の前後左右の作業孔３ｂから挿入して昇降ボタン基板11のねじ貫通孔11ｂおよび２段目押しボタン部材15のねじ貫通孔15ｂを貫通させて中空円板取付部材40の取付ボス部40ｂのねじ孔に螺合して緊締することで、２段目押しボタン部材15が昇降ボタン基板11と中空円板取付部材40に挟まれ固定されるとともに、２段目押しボタン部材15に中空円板取付部材40が固着されて１段目押しボタンスイッチ装置30が取り付けられる。
【００４２】
こうして組付けられた２段式押しボタンスイッチ装置１の動きを、図１０ないし図１２の断面図に従って以下説明する。
図１０は、２段式押しボタンスイッチ装置１に外力が加わらないときの断面図であり、２段目押しボタンスイッチ装置10における昇降ボタン基板11に固着された金属磁性板14が磁石８に吸着されて２段目押しボタン部材15は上方位置に保持されて２段目スイッチ18はオフ状態で、２段目押しボタン部材15に取り付けられた１段目押しボタンスイッチ装置30における１段目押しボタン32は圧縮スプリング35に付勢されて上方位置にあって１段目スイッチ34はオフ状態にある。
【００４３】
ここで、１段目押しボタン32が押されると、図１１に示すように、圧縮スプリング35に抗してまず１段目押しボタン32が下降して１段目スイッチ34の作動ピン34ａを押して１段目スイッチ34をオンする。
さらに、１段目押しボタン32が押されても、圧縮スプリング35の付勢力を多少超える程度の押圧力では、２段目押しボタンスイッチ装置10の磁石８による金属磁性板14の吸着を解くことはできず、２段目押しボタン部材15は上方位置に保持されたままで２段目スイッチ18はオフ状態である。
【００４４】
１段目押しボタン32を移動させた力に比較して格段に大きい力で、１段目押しボタン32を押すことで、１段目押しボタン32からスペーサ43等を介して昇降ボタン基板11に伝わった大きな押圧力は、磁石８による金属磁性板14の吸着を解くことができ、図１２に示すように、昇降ボタン基板11とともに２段目押しボタン部材15が圧縮スプリング13に抗して下降し、下降するスイッチ作動板18ａが光センサ18ｂの光を遮断して２段目スイッチ18がオンする。
【００４５】
磁石８による金属磁性板14の吸着が解除されるときは、急激に抗力を失い（圧縮スプリング13の付勢力は磁石８の吸着力よりかなり小さい）、一気に２段目押しボタン部材15が下降するので、２段目押しボタン部材15の移動の前後で、明瞭なクリック感があり、操作者はこのクリック感をはっきりと感じることができる。
なお、下降した昇降ボタン基板11は、その左右フランジ部11Lf，11Rfがストッパ部材６，６に衝接して停止される。
【００４６】
１段目押しボタン32の押圧を解除すると、圧縮スプリング13の付勢力により昇降ボタン基板11および２段目押しボタン部材15が上昇して２段目スイッチ18はオフし金属磁性板14が磁石８に吸着して保持され、さらに圧縮スプリング35の付勢力により１段目押しボタン32が上昇して１段目スイッチ34をオフし、図１０に示す状態に復帰する。
【００４７】
以上のように、１段目押しボタン32の操作において、２段目押しボタン部材15が作動するときは、はっきりとクリック感があるので、２段目スイッチ18がオンしたか否かがあいまいになったりすることがない。
また、２段目押しボタン部材15の移動直前の抗力（磁石８による吸着力）が大きく、１段目押しボタン32のみの操作のつもりが、誤って２段目押しボタン部材15も操作してしまうといった操作者の意図に反した誤操作が起こり難い。
【００４８】
なお、１段目押しボタンスイッチ装置30が小組みされた状態で、２段目押しボタン部材15に組付けられるので、組付け作業が簡単で生産性の向上が図れる。
また、１段目押しボタン32が２段目押しボタン部材15に比べて頻繁に作動されて耐久性が問題となるような場合には、特に１段目押しボタン32を小組みされた１段目押しボタンスイッチ装置30のみを交換することができ、経済的である。
さらに、従前の一般的な押しボタンスイッチ装置を１段目押しボタンスイッチ装置として利用することが可能で低コスト化が図れる。
【００４９】
本実施の形態では、磁石８，８が基盤２の固定側に設けられ、これに吸着される金属磁性板14，14が昇降ボタン基板11の昇降側に固着されているが、逆に磁石を昇降側に、金属磁性板を固定側に配置してもよい。
また、２段目スイッチ18は、押し操作されている間オン状態にあって離すとオフ状態となる自動復帰接点としたが、押し操作後離しても押し操作のときの接点状態が保持され、したがって押し操作する毎に接点の状態が切り替わる残留接点としてもよい。
【００５０】
本２段式押しボタンスイッチ装置１の使い方としては、１段目押しボタン32のみを押すときは軽く押し、２段目押しボタン部材15まで作動させるときは、１段目押しボタン32をゆっくり押すのではなく、叩くようにして押すことが効果的であり、この軽く押すのと叩くように押すのとを使い分けることで誤操作を確実に防止することができる。
【００５１】
本２段式押しボタンスイッチ装置１の用途としては、半押しでピントを合わせ全押しで画像が記録されるカメラのシャッタボタン等に適用でき、半押しでピント合わせのつもりが全押しとなってしまう誤操作を防止して使い勝手を良くすることができる。
このように半押し状態のある押しボタンを備えるもののほか、軽く押すのと叩くように押すのとを使い分けるゲーム機の操作ボタン等に適用できる。
【００５２】
その他、前記特許文献１にあるように、１段目押しボタン（補助ボタン）で対応するアクチュエータのインジケータを点灯し、２段目押しボタン（主ボタン）で該アクチュエータを作動するものにも適用できる。
【図面の簡単な説明】
【００５３】
【図１】本発明の一実施の形態に係る２段式押しボタンスイッチ装置の上面図である。
【図２】同下面図である。
【図３】本２段式押しボタンスイッチ装置の一部省略した下面図である。
【図４】本２段式押しボタンスイッチ装置の前側面図である。
【図５】同右側面図である。
【図６】本２段式押しボタンスイッチ装置の外力が加わった状態の右側面図である。
【図７】本２段式押しボタンスイッチ装置の一部分解し斜め上方から視た斜視図である。
【図８】同斜め下方から視た斜視図である。
【図９】同分解断面図である。
【図１０】本２段式押しボタンスイッチ装置の外力が加わらない状態の断面図である。
【図１１】１段目スイッチがオンした状態の同断面図である。
【図１２】２段目スイッチがオンした状態の同断面図である。
【符号の説明】
【００５４】
１…２段式押しボタンスイッチ装置、２…基盤、３…支持部材、４…ロッドガイド部材、５…固定部材、６…ストッパ部材、７…ブラケット、８…磁石、９…支持ブラケット、
10…２段目押しボタンスイッチ装置、11…昇降ボタン基板、12…ロッド、13…圧縮スプリング、14…金属磁性板、15…２段目押しボタン部材、18…２段目スイッチ、18ａ…スイッチ作動板、18ｂ…光センサ、
30…１段目押しボタンスイッチ装置、31…１段目支持部材、31ａ…円筒ガイド部、31ｂ…中空円板部、31ｃ…外輪ガイド部、32…１段目押しボタン、32ａ…円筒部、32ｂ…中空円板部、32ｃ…脚部、32ｄ…係止片、32ｅ…スプリング受け片、32ｆ…操作蓋部材、34…１段目スイッチ、34ａ…作動ピン、35…圧縮スプリング、40…中空円板取付部材、41…ワッシャ部材、42…ナット部材、43…スペーサ、45…ねじ。
【図１】
2008152931.tif 000003
【図２】
2008152931.tif 000004
【図３】
2008152931.tif 000005
【図４】
2008152931.tif 000006
【図５】
2008152931.tif 000007
【図６】
2008152931.tif 000008
【図７】
2008152931.tif 000009
【図８】
2008152931.tif 000010
【図９】
2008152931.tif 000011
【図１０】
2008152931.tif 000012
【図１１】
2008152931.tif 000013
【図１２】
2008152931.tif 000014